(57)【要約】【課題】  配線モールの上面に、猫、鳥等の小動物が滞在しにくい構造の配線モールの提供。【解決手段】  フェンス２の検知ユニットＢ間のリード線６を内部に配線する配線モールＡであって、モール本体１の長手側の側面にフェンス２の上棧２ａに対して位置決めする位置決めリブ３を設け、モール本体１の長手側の上部内側に嵌め込み固定部５を設け、モール本体１内にリード線６を収納して受けるリード線受け部７を形成し、モール本体１の開口を覆うことができる略凸形状の凸部８ａを上部に有するカバー体８をモール本体１の側部に折り曲げ可能な屈曲部９を介して一体に設け、カバー体８の屈曲部９と反対の端部に嵌め込み固定部５に嵌め込んで固定できる被嵌め込み固定部１０するものである。【選択図】図１
2005336786.tif 000002
【特許請求の範囲】
【請求項１】
フェンスの検知ユニット間のリード線を内部に配線する配線モールであって、モール本体の長手側の側面にフェンスの上棧に対して位置決めする位置決めリブを設け、モール本体の長手側の上部内側に嵌め込み固定部を設け、モール本体内にリード線を収納して受けるリード線受け部を形成し、モール本体の開口を覆うことができる略凸形状の凸部を上部に有するカバー体をモール本体の側部に折り曲げ可能な屈曲部を介して一体に設け、カバー体の屈曲部と反対の端部に上記嵌め込み固定部に嵌め込んで固定できる被嵌め込み固定部を備えた配線モール。
【請求項２】
前記カバー体は、凸部を軟質樹脂からなる接続部材を介して一体に形成したことを特徴とする請求項１記載の配線モール。
【発明の詳細な説明】
【技術分野】
【０００１】
本発明は、防犯フェンスの検知ユニット間のリード線を内部に配線する配線モールに関するものである。
【背景技術】
【０００２】
一般に、住宅外溝のフェンスの防犯手段としては、赤外線を送受信する検知ユニットをフェンスに設置し、侵入者が赤外線を遮断すると警報を発報する方式が知られている。
【０００３】
この方式の住宅外溝のフェンスの防犯手段に設けられている配線モールとしては、特開２００２−１５３８０号公報に記載されているものがある。このものは、例えば、図３に示すように、ベランダのフェンス２の支柱１１に赤外線を送受信する検知ユニットＢ埋設し、電源供給線及び検出信号伝送線を上棧２ａに沿って配線するものである。
【０００４】
この配線モールは、建物に付属するベランダに、簡単な施工で、低コストで、目立つことのない、アメニティ性に優れた防犯センサを取り付けるものである。
【０００５】
この配線モールでは、フェンス２の上面に、猫、鳥等の小動物が滞在する場合が多い。このため、滞在したこれらの猫、鳥等の小動物が検知ユニットＢからの赤外線を遮断し警報を発報する場合があった。この対策として、一般的に、赤外線を２本用い、猫、鳥等の小動物がフェンスに滞在した場合でも誤報を少なくする方法が取られている。
【０００６】
しかしながら、上述した検知ユニットでは、これらの猫、鳥等の小動物が配線モール（フェンス）上面に滞在することができ、やはり、滞在した小動物が検知ユニットＢからの赤外線を遮断し警報を発報する場合がある。従って、フェンス上面は、猫、鳥等の小動物が滞在しない方が、誤報を発報させないためには、より望ましいことである。
【特許文献１】特開２００２−１５３８０号公報
【発明の開示】
【発明が解決しようとする課題】
【０００７】
本願発明は、上記背景技術に鑑みて発明されたものであり、その課題は、配線モール上面に、猫、鳥等の小動物が滞在しにくい構造の配線モールを提供することである。
【課題を解決するための手段】
【０００８】
上記課題を解決するために、本願発明は、フェンスの検知ユニット間のリード線を内部に配線する配線モールであって、モール本体の長手側の側面にフェンスの上棧に対して位置決めする位置決めリブを設け、モール本体の長手側の上部内側に嵌め込み固定部を設け、モール本体内にリード線を収納して受けるリード線受け部を形成し、モール本体の開口を覆うことができる略凸形状の凸部を上部に有するカバー体をモール本体の側部に折り曲げ可能な屈曲部を介して一体に設け、カバー体の屈曲部と反対の端部に上記嵌め込み固定部に嵌め込んで固定できる被嵌め込み固定部を備えたものである。
【０００９】
また、前記カバー体は、凸部を軟質樹脂からなる接続部材を介して一体に形成することが好ましい。
【発明の効果】
【００１０】
本願発明の配線モールにおいて、配線モール上に猫、鳥等の小動物が滞在しようとした場合、防犯フェンスの上面に配線モールのカバー体を凸状に形成しているので、猫、鳥等の小動物が滞在しにくくなり、小動物により赤外線が遮断されて警報を発報することが少なくなる。
【００１１】
更に、前記カバー体は、凸部とカバー体とを軟質樹脂を介して一体に形成しているので、前記凸部に小動物が滞在した場合、小動物の自重により、該凸部がたわみ、より一層小動物が滞在できにくくなるので、小動物により赤外線が遮断されて警報を発報することがより一層少なくなる。
【発明を実施するための最良の形態】
【００１２】
図１及び図２は、請求項１及び請求項２に対応した一実施形態の配線モールＡである。図１は、配線モールＡをフェンス２の上棧２ａに取り付けた状態を示し、（ａ）はカバー体８を開いた状態の断面図、（ｂ）はカバー体８を閉じた状態の断面図である。図２は、図１（ａ）の状態の斜視図である。また、図３は本発明の一実施形態の配線モールＡを配線する一例であるフェンスの正面図である。
【００１３】
この配線モールＡは、モール本体１の長手側の側面にフェンス２の上棧２ａに対して位置決めする位置決めリブ３を設け、モール本体１の長手側の面の上部内側に嵌め込み固定部５を設け、モール本体１内にリード線６を収納して受けるリード線受け部７を形成し、モール本体１の開口を覆うことができる略凸形状の凸部８ａを上部に有するカバー体８をモール本体１の側部に折り曲げ可能な屈曲部９を介して一体に設け、カバー体８の屈曲部９と反対の端部に嵌め込み固定部５に嵌め込んで固定できる被嵌め込み固定部１０を備えたものである。例えば、図３に示すように、ベランダのフェンス２の支柱１１に赤外線を送受信する検知ユニットＢ埋設し、電源供給線及び検出信号伝送線を上棧２ａに沿って配線するものである。
【００１４】
また、図１に示すように、カバー体８は、凸部８ａとカバー体８とを、軟質樹脂からなる接続部材８ｂを介して一体に形成したものである。
【００１５】
フェンス２は、例えば、アルミニウムのような金属で形成されるものであり、図３に示すように、上棧２ａと下棧２ｂとを上下に間隔を隔てて平行に配置し、上棧２ａと下棧２ｂとの間に複数本の縦棧２ｃを配置し、上棧２ａと下棧２ｂと縦棧２ｃを相互に結合して組み立ててある。このフェンス２は建物外構に沿って取り付けられるのであるが、自由柱（フェンス２の面に沿って自由に設置箇所を変えられる柱）と称される支柱１１を基礎部（図示せず）の上に立設し、支柱１１にフェンス２が取り付けられる。支柱１１の上端にはフェンス押さえ金具（図示せず）が取り付けられ、該フェンス押さえ金具にて支柱１１の上端と該フェンス押さえ金具の上端とが面一になるように支柱１１の上端にフェンス２が取り付けられている。複数の支柱１１のうち適宜の支柱１１の上端上には検知ユニットＢが取り付けられており、検知ユニットＢは、フェンス２を乗り越えて侵入する侵入者を検知したり、検知を報知したりする機能を持たせてある。
【００１６】
配線モールＡは、図１、図２に示すように合成樹脂にて一体に形成されるものであって、モール本体１とカバー体８とで主体が構成されている。モール本体１は横の縦片１ａとフェンス２の上面の横片１ｂとで断面略横Ｌ字状に形成されており、縦片１ａと横片１ｂとの間の角部には縦片１ａが突出する方向と逆方向に突出する位置決めリブ３を全長に亙って設けてある。縦片１ａの先端は反対の基部側で縦片１ａの下面に嵌め込み固定部５を設けてある。嵌め込み固定部５は本実施形態の場合、略三角形状の凸部５ａで形成されている。また、横片１ｂと対向して、ビスホール形状のリード線受け部７を長手方向全長に亙るように設けてある。
【００１７】
カバー体８は、上面が断面略凸状に形成された凸部８ａを有しており、カバー体８の基部側の嵌め込み固定部５の反対側に屈曲部９を介して一体に繋がっている。上記モール本体１及びカバー体８が比較的硬質の樹脂にて形成されているのに対し、屈曲部９は軟質樹脂にて形成されている。そして、カバー体８の先端には被嵌め込み固定部１０が設けられている。この被嵌め込み固定部１０は、基部１０ａと嵌め込み固定部５に係止するための係止爪１０ｂとで形成されている。
【００１８】
また、凸部８ａは、軟質樹脂にて形成された接続部材８ｂを介してモール本体１に接続されている。
【００１９】
上記のように構成した配線モールＡは長尺物であり、自由柱としての支柱１１を立設した間隔に合わせて切断し、フェンス２の上棧２ａに沿わせて取り付けられる。配線モールＡを取り付けるとき、カバー体８が開放されており、位置決めリブ３を上棧２ａに沿わせることで配線モールＡを位置決めして取り付けられる。
【００２０】
そして、モール本体１の横片１ｂには凹条（図示せず）を長手方向全長に亙って設ければ、該凹条の上下にはビスを打入するときビスをガイドするガイド用リブ（図示せず）を設ければ、配線モールＡを位置決めした状態で前記凹条から上棧２ａまでドリルにて下穴をあけ、下穴を利用して前記ビスを打入して上棧２ａに配線モールＡを固定する。前記ビスを打入するとき、ガイド用リブ（図示せず）でビスをガイドしてビスを容易に打入することができる。また、ドリルで下穴をあける穴あけ作業を減らすため、配線モールＡに一定ピッチで配列された下穴を事前にあけていてもよい。このように配線モールＡを取り付けた状態で、リード線受け部７に沿って検知ユニットＢと接続したリード線６を配線してある。リード線６を配線した状態でカバー体８は閉塞され、嵌め込み固定部５に被嵌め込み固定部１０が嵌め込まれてカバー体８が閉塞保持される。
【００２１】
従って、このように構成されている配線モールＡは、配線モールＡ上に猫、鳥等の小動物が滞在しようとした場合、防犯フェンスの上面に配線モールＡのカバー体８を凸状に形成しているので、猫、鳥等の小動物が滞在しにくくなり、小動物により赤外線が遮断されて警報を発報することが少なくなる。
【００２２】
更に、カバー体８は、凸部８ａを軟質樹脂からなる接続部材８ｂを介して一体に形成しているので、凸部８ａに小動物が滞在した場合、小動物の自重により凸部８ａがたわみ、より一層小動物が滞在できにくくなるので、小動物により赤外線が遮断されて警報を発報することがより一層少なくなる。
【００２３】
なお、カバー体８の凸部８ａの上端から接続部材８ｂの下端までの高さは、鳥類の場合、鳥類が安定して滞在できない高さ、すなわち、鳥類の足先が、接続部材８ｂより下方に届かない高さに設定すると良い。例えば、カラスの場合は、足の長さは、約３ｃｍであるため、高さを５ｃｍに設定すると良い。
【００２４】
なお、カバー体８の凸部８ａの形状は、本実施形態では三角になっているが、小動物が滞在しにくい凸状の構造であれば良く、その形状は適宜決めればよい。
【図面の簡単な説明】
【００２５】
【図１】本発明の実施の形態の一例の配線モールをフェンスの上棧に取り付けた状態を示し、（ａ）は同上のカバー体を開いた状態の断面図、（ｂ）は同上のカバー体を閉じた状態の断面図である。
【図２】同上の図１（ａ）の状態の斜視図である。
【図３】本発明の一例を配線するフェンスの正面図である。
【符号の説明】
【００２６】
Ａ    配線モール
Ｂ    検知ユニット
１    モール本体
２    フェンス
２ａ  上棧
３    位置決めリブ
５    嵌め込み固定部
６    リード線
７    リード線受け部
８    カバー体
８ａ  凸部
８ｂ  接続部材
９    屈曲部
１０    被嵌め込み固定部
【図１】
2005336786.tif 000003
【図２】
2005336786.tif 000004
【図３】
2005336786.tif 000005